(57)【要約】      （修正有）【課題】尻ぽ取りゲームやボールを用いた遊びスポーツ等の遊技や競技において相互の区別を明確にするタグ付ベストを提供する。【解決手段】下端部に折り返し部２ａ等を形成するベスト２の前記下端部には細長の色付のタグ１が固着部材を介して垂下支持される。【選択図】図１
0003169887.tif 000002
【実用新案登録請求の範囲】
【請求項１】
鬼ごっこや尻ぽ取りゲームやボールを用いた競技ゲーム等のスポーツ的遊びにおいて遊技や競技の対手を互いに区別するために使用される色付の細長のタグを遊技時や競技時に使用されるベスト（チョッキ）の下端に固着部材を用いて垂下固定してなることを特徴とするタグ付ベスト。
【請求項２】
前記固着部材がマジックテープ又はベルクロ（いずれも登録商標）であることを特徴とする請求項１に記載のタグ付ベスト。
【請求項３】
前記ベストの下端部には折り返し部や伸縮可能材形成部（以下、ベスト下端部と略称する）が形成され、前記ベストの下端部には前記固着部材が表側にこれと対峙する裏側にはあて布が前記ベストの下端部を挟持して配置され、前記タグはその上端部を前記ベストに固着部材により固着して垂下支持されることを特徴とする請求項１に記載のタグ付ベスト。
【考案の詳細な説明】
【技術分野】
【０００１】
本考案は、鬼ごっこや尻ぽ取りゲームやタグラクビーやフラグフットボールのようなボールを用いたゲーム等のスポーツ的遊びにおいて遊技又は競技対手を夫々区別するために用いられる細長の色付のタグを遊技又は競技時に使用されるベストの下端に垂下支持してなるタグ付ベストに関する。
【背景技術】
【０００２】
例えば、尻ぽ取りゲームのような遊技においては、図４に示すように夫々の遊技者５（子供）はその尻部にタグ１を垂下して互いを区別し、遊技時には相手のタグ１を引っ張り取って勝負を決めたりするゲームが行われる。このタグ１は図示のように細長のテープ状のものからなり、相手と区別するために色違い（例えば、赤色，黄色，青色等）に形成されている。
【０００３】
従来では以上の説明等において使用されるタグは遊技者のズボンのバンドの部分にその先端側を着脱可能に連結してなるものがほとんどであるがこれ等に関する公知技術は見当たらない。
また、本考案のようにベストにタグの如きものをマジックテープ（登録商標）等を用いて連結する公知技術としては、例えば「特許文献１」が挙げられる。
【先行技術文献】
【特許文献】
【０００４】
【特許文献１】特開２０１０−２１３９３７号（図１）
【考案の概要】
【考案が解決しようとする課題】
【０００５】
「特許文献１」の「特開２０１０−２１３９３７号」の「工事用ベスト」は、腰巻部（１０ａ）と肩掛部（１０ｂ）を有する工事用ベスト（１０）の下端の腰巻部（１０ａ）の部分にフープ（２０）を垂下したもので、このフープ（２０）はマジックテープでその一端を腰巻部（１０ａ）に固定され、使用者（工事者）のバンド（図略）にフープ（２０）を連結してマジックテープの両端を固着して工事用ベスト（１０）を使用者に安定保持させることを目的としているものである。
以上のように、この公知技術は工事用ベスト（１０）やマジックテープ等を用い、更に細長のフープ（２０）を使用する点において一見本考案と似ているものではあるが、本考案では目的，構成において大きく相異するものである。また、その他の公知技術としても本考案に類似する公知技術は見当たらない。
【０００６】
本考案は、以上の事情に鑑みて考案されたものであり、遊技者や競技者等の着用するベスト（チョッキ）に細長の色違いのタグを垂下支持せしめて遊技者や競技者を区別すると共にタグを安定保持させ、タグ取りゲームやスポーツ的遊び等を安定して、かつ楽しく行わせることがてきるタグ付ベストを提供することを目的とする。
【課題を解決するための手段】
【０００７】
本考案は、以上の目的を達成するために、請求項１の考案は、鬼ごっこや尻ぽ取りゲームやボールを用いた競技ゲーム等のスポーツ的遊びにおいて、遊技や競技の対手を互いに区別するために使用される色付の細長のタグを遊技時や競技時に使用されるベスト（チョッキ）の下端に固着部材を用いて垂下固定してなることを特徴とする。
【０００８】
また、請求項２の考案は、前記固着部材がマジックテープ又はベルクロ（いずれも登録商標）であることを特徴とする。
【０００９】
また、請求項３の考案は、前記ベストの下端部には折り返し部や伸縮可能材形成部（以下、ベスト下端部と略称する）が形成され、前記ベストの下端部には前記固着部材が表側にこれと対峙する裏側にはあて布が前記ベスト下端部を挟持して配置され、前記タグはその上端部を前記ベストに固着部材により固着して垂下支持されることを特徴とする。
【考案の効果】
【００１０】
本考案の請求項１のタグ付ベストによれば、タグはベスト下端部に固着部材を用いて垂下支持されるため、取り付け作業が容易に出来、かつ競技時における引っ張り取りも安定的に出来、スポーツ時においては安定的に垂下支持状態を保持できる効果を上げることが出来る。
【００１１】
また、本考案の請求項２のタグ付ベストによれば、固着部材として一般的に使用されているマジックテープやベルグロが使用されるため、安価に実施できることが出来る。
【００１２】
また、本考案の請求項３のタグ付ベストによれば、タグの垂下支持が確実に出来ると共にベストの下端の損傷が防止され、新しいタグ等を再度取り付けることが出来る効果を上げることが出来る。
【図面の簡単な説明】
【００１３】
【図１】本考案の全体構造の概要を示す模式的正面図（ａ）と本考案に使用されるマジックテープの概要構造を示す模式的断面図（ｂ）及びタグの形状を示す正面図（ｃ）とこのＢ−Ｂ線断面図（ｄ）。
【図２】ベスト下端部の形状及び下端部におけるマジックテープやあて布の取り付け状態とタグの連結構造を説明するための部分拡大断面図であり、（ａ）はベスト下端部に折り返し部があるものであり、（ｂ）は折り返し部の代りに伸縮可能材形成部がある場合を示す。
【図３】本考案に使用されるベストの形状を示す模式的平面図（ａ）とこのＡ−Ａ線断面図（ｂ），（ｃ）であり（ｂ）はベスト下端部に折り返し部があるもの、（ｃ）は伸縮可能材形成部がある場合を示す。
【図４】本考案は本考案のタグを用いた尻ぽ取りゲームを示す模式図。
【考案を実施するための形態】
【００１４】
以下、本考案のタグ付ベストの実施の形態を図面を参照して詳述する。
【００１５】
まず、図３により、本考案に使用されるベスト２の一例を示すが、ベスト２はこの形状のものに限定するものではない。
ベスト２は図示のような形状からなり、図の（ａ），（ｂ），（ｃ）に示すようにその下端部には折り返し部２ａ［図３（ｂ）］又は伸縮可能材形成部２ｂ［図３（ｃ）］が形成されている。後に説明するタグ１（図１）はこの下端部の表側にその上端部を固着するものからなる。
【００１６】
タグ付ベスト１００は図１（ａ）に示す構造からなり、ベスト２の下端部にはタグ１が本実施例では３本垂下支持されているが勿論これに限定するものではない。また、このタグ１は同色でもよく互いに相違する色のものでもよい。また、図１（ａ）に示すようにタグ１はその上端部をマジックテープ３やあて布４を用いてベスト２に着脱可能に固着して垂下支持される。
【００１７】
図１（ｂ）はマジックテープ３の概要構造を示すものであり、マジックテープ３は一対のマジックテープ部材３ａとこれに着脱可能に固着するマジックテープ部材３ｂとからなる。
【００１８】
タグ１は図１（ｃ）に示すように細長のテープ（布製又は樹脂製のものが通常使用される）からなり、各色のものがある。その上端部にはマジックテープ部材３ｂが固定されている。
【００１９】
図２は本考案におけるタグ１をベスト２の下端部に着脱可能に固定した状態を示す部分拡大断面図であり、図２（ａ）はベスト２の下端部に折り返し部２ａが形成されるものであり、図２（ｂ）は伸縮可能材形成部２ｂが形成されている場合を示す。
【実施例１】
【００２０】
図２（ａ）に示すように、ベスト２の下端部の折り返し部２ａの表面側にはマジックテープ３のマジックテープ部材３ａが何等かの手段により固着される。また、折り返し部２ａの裏面側にはあて布４が何等かの手段により固着される。このあて布４を設けるのは折り返し部の損傷を防止するものであり、折り返し部の強度によっては必ずしも設けなくてもよい。
一方、タグ１の上端部にはマジックテープ３のマジックテープ部材３ｂが何等かの手段により固着される。
以上により、タグ１はマジックテープ部材３ｂとベスト２側のマジックテープ部材３ａとの押圧合体によりベスト２に垂下支持されて図１（ａ）に示す状態となる。
【実施例２】
【００２１】
実施例１は図２（ａ）に示すようにベスト２の下端部に折り返し部２ａが形成されている場合を示したが、図２（ｂ）に示す実施例２では折り返し部２ａの代りに伸縮可能材形成部２ｂが形成されている場合のタグ付ベスト１００Ａを示す。この場合は、あて布４は伸縮可能材形成部２ｂの裏面側に何等かの手段により固着され、マジックテープ部材３ａは伸縮可能材形成部２ｂの表面側に何等かの手段により固着される。なお、タグ１の構造は前記の実施例１の場合と同一である。以上により、タグ１はベスト２の下端部に垂下支持される。
【００２２】
本考案は以上の内容のものからなるが、固着手段としてはマジックテープ３のみでなくベルグロの如きものやその他の固着手段が使用されると共に同一技術的範疇のものが適用されることは勿論である。
【産業上の利用可能性】
【００２３】
本考案はベストを使用する遊技者や競技者のすべてに利用される形態のものからなり、簡便，安価に実施できその利用範囲は極めて広い。
【符号の説明】
【００２４】
１      タグ
２      ベスト
２ａ    折り返し部
２ｂ    伸縮可能材形成部
３      マジックテープ
３ａ    マジックテープ部材
３ｂ    マジックテープ部材
４      あて布
５      遊技者
１００  タグ付ベスト
【図１】
0003169887.tif 000003
【図２】
0003169887.tif 000004
【図３】
0003169887.tif 000005
【図４】
0003169887.tif 000006